(57)【要約】【課題】プリント費用を広告主が負担するプリントサービスおよび他の用途に使用することができ、当該プリントサービスに使用した場合に広告が確実に顧客に渡る画像形成装置を実現する。【解決手段】第１の画像データ出力手段によって与えられる第１属性の画像を用紙の片面にプリントする単属性片面プリントモードと、前記第１属性の画像を用紙の片面にプリントしかつ第２の画像データ出力手段によって与えられる第２属性の画像を当該用紙の他の片面にプリントする複属性両面プリントモードとを備える画像形成装置において、複属性両面プリントモードのプリント順序を、前記第２属性の画像を用紙の他の片面にプリントした後に、当該用紙の他の片面に前記第１属性の画像をプリントする順序とする。【選択図】図４
2008233444.tif 000002
【特許請求の範囲】
【請求項１】
第１の画像データ出力手段によって与えられる第１属性の画像を用紙の片面にプリントする単属性片面プリントモードと、前記第１属性の画像を用紙の片面にプリントしかつ第２の画像データ出力手段によって与えられる第２属性の画像を当該用紙の他の片面にプリントする複属性両面プリントモードとを備える画像形成装置であって、
複属性両面プリントモードにおいて、前記第２属性の画像を用紙の他の片面にプリントした後に、当該用紙の他の片面に前記第１属性の画像をプリントする
ことを特徴とする画像形成装置。
【請求項２】
前記第１の画像データ出力手段として原稿を読み取るイメージスキャナを備えており、
複属性両面プリントモードにおいて、前記第２属性の画像のプリントと並行して、前記イメージスキャナによる前記原稿の予備走査、予備走査で得られた情報に基づく画質調整パラメータの決定、および前記原稿の走査を実行する
請求項１に記載の画像形成装置。
【請求項３】
前記第２の画像データ出力手段として、前記第２属性の画像としての広告画像を記憶する不揮発性メモリを含む画像記憶手段を備える
請求項２に記載の画像形成装置。
【請求項４】
操作入力手段と、
前記操作入力手段の操作に応じて単属性片面プリントモードと複属性両面プリントモードの一方を選択するモード設定手段と、
単属性片面プリントモードのプリント動作に対して課金する課金手段とを有する
請求項３に記載の画像形成装置。
【請求項５】
前記課金手段は複属性両面プリントモードのプリント動作に対しては課金を行わない
請求項４に記載の画像形成装置。
【請求項６】
前記操作入力手段はプリント画質調整部を有しており、
単属性片面プリントモードにおいては前記プリント画質調整部の操作に応じて画質調整パラメータを決定し、複属性両面プリントモードにおいては前記プリント画質調整部の操作を無効にする
請求項５に記載の画像形成装置。
【請求項７】
プリントされた用紙が置かれる第１および第２の排出部を有しており、
単属性片面プリントモードにおいては前記第１の排出部に用紙を排出し、複属性両面プリントモードにおいては前記第２の排出部に用紙を排出する
請求項４ないし請求項６のいずれかに記載の画像形成装置。
【請求項８】
前記第１の排出部への排紙は第１属性の画像のプリント面が上面となる形式であり、前記第２の排出部への排紙は第２属性の画像のプリント面が上面となる形式である
請求項７に記載の画像形成装置。
【請求項９】
第１属性の画像のプリント中にそれを示すメッセージを表示し、第２属性の画像のプリント中にそれを示すメッセージを表示する表示手段を備える
請求項１ないし請求項５のいずれかに記載の画像形成装置。
【請求項１０】
複属性両面プリントモードにおいて、前記第２属性の画像をカラープリントし、第１属性の画像をモノクロプリントする
請求項１ないし請求項５のいずれかに記載の画像形成装置。
【発明の詳細な説明】
【技術分野】
【０００１】
本発明は、両面プリントが可能な画像形成装置に関する。画像形成装置には、複写機、プリンタ、および複合機と呼ばれる多機能周辺機器（ＭＦＰ：Multifunction Peripherals）が含まれる。
【背景技術】
【０００２】
不特定の顧客が有償で利用することのできる複写機が、コンビニエンスストアをはじめとする種々の店舗に設置されている。この種の複写機としてカラー複写機が広く用いられている。一般にカラー複写機は、両面ユニットの装着によって両面プリントが可能になる多機能型である。多機能型は基本的なモノクロの片面プリントも当然に可能である。
【０００３】
近年、有償の複写サービスの新たな形態として、予め片面に広告を印刷した用紙を複写機に収納しておき、広告主がコピー料金の全部または一部を負担するビジネスが注目されている。顧客が持ち込んだ原稿は広告印刷済み用紙の他の片面に複写される。顧客は無償でまたは安価に複写サービスを受けることができる。広告主は客層に応じた効果的な宣伝を行うことができる。このビジネスは、原稿画像とは別に広告をプリントする付加機能をもたない汎用の複写機で実施することができる。
【０００４】
原稿の複写時に広告をプリントする機能をもつ複写機は知られている。例えば、特許文献１に記載の画像形成装置は、広告画像を記憶するメモリを備えた複写機と料金を受け取る課金装置とから構成され、原稿を複写する用紙の裏面または別の用紙に広告画像をプリントする。そして、広告のプリントに要する時間に応じてコピー料金を変更する。他にも、片面プリントにおいて広告の配置が選択可能であるもの、顧客が広告商品の種類を選択できるようにしたものなど種々の提案がある。
【特許文献１】特開２０００−３４７５３３号公報
【発明の開示】
【発明が解決しようとする課題】
【０００５】
一般に、複写機の利用の大半はモノクロ原稿の複写である。すなわち、単一の色材を用いるモノクロプリントを希望する顧客の割合が大きい。これに対して、広告画像としては宣伝効果の上でモノクロ画像よりもカラー画像が好ましいので、広告については複数の色材を用いるカラープリントを希望する広告主が多いと考えられる。
【０００６】
したがって、用紙の片面に原稿画像をプリントし且つ残りの片面に広告画像をプリントする場合、用紙に対してモノクロプリントとカラープリントの両方を行うことになる。モノクロ画像をカラープリントで再現することは可能ではあるが、カラー再現用の色材が無駄に消費されてしまう。また、モノクロプリントと比べてカラープリントの単価が高いことも、モノクロとカラーを併用する理由となる。カラーコピー料金を広告主が負担する複写サービスはビジネスとして成立しにくい。原稿画像をモノクロプリントする場合に限って顧客が料金を支払わなくてよい複写サービスの方がビジネスとして成立し易い。
【０００７】
顧客からみて料金が無料になる代わりに用紙に広告がプリントされる複写サービス（以下、無料コピーという）の実施にあたって、料金を負担する広告主を含めたサービス提供者は、広告が確実に顧客に配布され、かつ少なくとも広告が顧客の目に付くことを期待する。原稿画像だけがプリントされて広告のプリントされていない用紙が顧客に渡るのはサービス提供者にとって最も好ましくない状況であり、広告が顧客の目にふれなかったり広告のプリントされた用紙が直ぐに捨てられてしまったりする状況もサービス提供者にとって好ましくはないと考えられる。
【０００８】
一方、無料コピーで行われるカラープリントを含んだ両面プリントは、モノクロの片面プリントの数倍の時間を必要とする。このため、顧客の多くが無料コピーは既存の有料の複写サービス（以下、有料コピーという）と比べて不便であると感じることが予想される。
【０００９】
本発明は、このような事情に鑑み、無料コピーのようにプリント費用を広告主が負担するプリントサービスおよび他の用途に使用することができ、当該プリントサービスに使用した場合に広告が確実に顧客に渡る画像形成装置の提供を目的としている。他の目的は、画像形成装置の上記プリントサービスへの適合性を高めることである。
【課題を解決するための手段】
【００１０】
上記目的を達成する画像形成装置は、第１の画像データ出力手段によって与えられる第１属性の画像を用紙の片面にプリントする単属性片面プリントモードと、前記第１属性の画像を用紙の片面にプリントしかつ第２の画像データ出力手段によって与えられる第２属性の画像を当該用紙の他の片面にプリントする複属性両面プリントモードとを備える。当該画像形成装置は、複属性両面プリントモードにおいて、前記第２属性の画像を用紙の他の片面にプリントした後に、当該用紙の他の片面に前記第１属性の画像をプリントする。
【００１１】
第１属性の画像のプリントの以前に第２属性の画像がプリントされるので、片面に第１属性の画像がプリントされた用紙の他の片面には、必ず第２属性の画像がプリントされていることになる。ここで、無料コピーでの使用を想定して、第１属性の画像を顧客がプリントを希望する原稿画像に当てはめ、第２属性の画像を広告主がプリントを希望する広告画像に当てはめると、顧客が手にする用紙には必ず原稿画像と広告画像とがプリントされていることになる。
【００１２】
仮にプリントの順序が逆であると、原稿画像のみがプリントされて広告画像がプリントされていない用紙を顧客が取得してしまう不都合が起こり得る。例えば、顧客が原稿画像のプリントが終わった時期を見計らって電源スイッチをオフにするといった所定の操作を行うと、画像形成装置は両面プリントを中断して、広告画像がプリントされていない状態の用紙を排出する。用紙を排出しない構成を採用することもできるが、ジャムの発生を防ぐ上で強制的に用紙を排出するの望ましい。また、中断操作を無効にしたり、操作のし難い箇所に電源スイッチを配置すると、画像形成装置の汎用性が失われ、無料コピーまたはそれに類する用途以外での操作性および利便性が損なわれる。これに対して、広告画像の次に原稿画像をプリントする順序であれば、上記の不都合は起こり得ない。
【００１３】
上記画像形成装置の構成は、第１および第２の画像データ出力手段の一方または両方を含んでもよいし、含まなくてもよい。第１の画像データ出力手段の代表例は、原稿を読み取るイメージスキャナである。画像のプリントを要求するパーソナルコンピュータやメモリ装置も第１の画像データ出力手段となり得る。例えば、画像形成装置にコンピュータを接続しておき、顧客が原稿として画像データをリムーバブルメモリに記憶させて持参するプリントサービスが考えられる。第２の画像データ出力手段の代表例は、不揮発性画像メモリである。外部の画像サーバから画像データを受信して出力する通信装置も第２の画像データ出力手段となり得る。広告画像を画像形成装置に転送するシステムは公知である。
【００１４】
好ましい態様において、画像形成装置は、操作入力手段を構成するプリント画質調整部を有しており、単属性片面プリントモードにおいては前記プリント画質調整部の操作に応じて画質調整パラメータを決定し、複属性両面プリントモードにおいては前記プリント画質調整部の操作を無効にする。
【００１５】
無料コピーでの使用を想定した場合、顧客による手動の画質調整を可能にすると、顧客が１枚の原稿に対して画質の異なる多数のコピーをとり、出来栄えの気に入った用紙以外の所謂ミスコピー用紙をその場で捨ててしまうおそれがある。この場合、ミスコピー用紙にプリントされた広告が実質的に無駄になり、広告主が不利益を被る。顧客による画質調整を無効にすることで、この問題が解消される。
【発明の効果】
【００１６】
本発明によれば、第１属性の画像がプリントされて第２属性の画像がプリントされない事態が起こらないので、第２属性の画像をプリントすることを必要条件として第１属性の画像のプリントを行うプリントサービスに使用した場合に、確実に必要条件が満たされる。
【発明を実施するための最良の形態】
【００１７】
異なる画像データ出力手段からの２種の画像を１枚の用紙の表裏にプリントするモードである“複属性両面プリントモード”が必要とされる状況の代表例は、上述したように広告主が料金を負担する無料コピーである。以下、サービスの提供を受ける顧客が無料コピーを指定した場合に複属性両面プリントを行う複写サービスを想定し、それに使用される画像形成装置を例示する。なお、必ずしも無料である必要はなく、割引であってもよい。料金設定はサービス提供者が決めるべき事項である。
【００１８】
図１に示される画像形成装置１０は、例えばコンビニエンスストアに設置され、不特定の顧客によってセルフサービス形式で使用される。以下、画像形成装置１０の使用者である不特定の顧客を便宜的にユーザーという。ユーザーは、用紙の裏面に広告がプリントされるのを了承するのであれば、原稿を無料でコピーすることができる。広告をプリントを了承しないのであれば、原稿を有料でコピーすることができる。無料コピーのプリントモードは、第１属性の画像である原稿と第２属性の画像である広告とをプリントする“複属性両面プリントモード”である。原稿はモノクロで広告はカラーでプリントされる。有料コピーのプリントモードは、原稿のみをプリントする“単属性両面プリントモード”である。原稿はユーザーの指定に応じてモノクロかカラーのどちらかでプリントされる。
【００１９】
画像形成装置１０はカラープリントの可能な複合機（ＭＦＰ）１１と課金装置１２とを備えている。図示の課金装置１２は縦長の箱形状を有したコインベンダーであって、複合機１１の傍らに配置され、背面から引き出されたケーブル状の中継コネクタ１７を介して複合機１１に接続されている。
【００２０】
例えば、有料コピーにおいてユーザーが硬貨を投入すると、課金装置１２は投入された金額を液晶ディスプレイからなる表示部１５によって逐次に表示し、投入金額が所定額に達すると複合機１１に対してプリントの詳細を指定するパネル操作の受付を指示する。ユーザーは操作パネル１８を操作して置数（コピー枚数）、用紙のサイズ、プリントカラー（モノクロ／カラー）などの項目について指定する。指定されたコピー内容に対応するコピー料金が投入された金額以下であれば、課金装置１２は複合機１１に対してコピー動作を許可する。なお、無料コピーの場合もユーザーはカラーモードおよび画質調整以外の項目について所望の指定を行う。ユーザーが操作パネル１８上のスタートキーを押すとコピー動作が始まる。複合機１１は、用紙がフェースアップトレイ５４（無料コピーではフェースダウントレイ５３）に排出される時に、排出情報を課金装置１２に送信する。排出情報を受けて課金装置１２は所定のコピー料金を徴収し、残高を新たに表示する。徴収するコピー料金はコピー内容によって異なる。残高が所定の金額以下になると、課金装置１２はコピー動作を禁止する。そして、硬貨が追加投入されると、課金装置１２はコピー動作を再度許可する。コピー動作が停止しているときに、ユーザーが課金装置１２のコイン返却ボタン１４を押すと、課金装置１２の内部から前面のコイン返却口１６に残高分の硬貨が送り出される。
【００２１】
なお、コインベンダーからなる課金装置１２を図示したが、金額情報を記憶したプリペイドカードなどの情報記憶媒体を用いる課金装置とすることもできる。この場合の課金装置は、挿入されたプリペイドカードに記憶されている残高情報に基づいて、コピー料金を徴収する。また、どの用紙にも必ず広告をプリントしてコピー料金を無料とする使用の形態がある。この使用形態では、画像形成装置１０の構成は課金装置１２を除いたものであってよい。
【００２２】
図２のように複合機１１は、第１の画像データ出力手段としての縮小投影式フラット型のイメージスキャナ２１、タンデム式のカラープリンタ２３、多段式の用紙ストッカ２５、２通りの排紙を可能にする排出部２６、および両面ユニット２７を備える。コピー動作において、原稿画像はイメージスキャナ２１によって読み取られ、カラープリンタ２３でイエロー（Ｙ）、マゼンタ（Ｍ）、シアン（Ｃ）、ブラック（Ｋ）の４色のトナー像となる。所定のタイミングで形成される４色のトナー像は中間転写ベルト４０に順に１次転写され、中間転写ベルト４０上で重なる。重なった４色のトナー像は用紙ストッカ２５からカラープリンタ２３へ給紙された用紙に２次転写される。その後、トナー像は定着部を経て用紙に定着する。トナー像が定着した用紙は、排出部２６を経て排紙される。両面プリントの場合には、１面目の転写の後、用紙は両面ユニット２７に送られる。両面ユニット２７で表裏反転された用紙が転写位置（印字位置）に戻り、２面目の転写の後に排紙される。このような複合機１１の基本構成は広く知られているので、ここでは各要素の構造および機能の詳しい説明を省略する。
【００２３】
複合機１１は、上述したとおり無料コピーサービスに係る複属性両面プリントモードを有する。複属性両面プリントモードでは、ユーザーによって与えられる原稿画像を用紙の片面にプリントし、予め広告主によって与えられる広告画像を残りの片面にプリントする。原稿画像はイメージスキャナ２１によってデータ化され、広告画像は予めデータ化されて複合機１１がもつ不揮発性のメモリに格納されている。排紙の形態はフェースダウンとされ、用紙はカラープリントされた広告面がユーザーに見えるように上向きにフェースダウントレイ５３に排出される。１枚の用紙に対する原稿と広告のプリント順序が重要であり、本例では広告画像のプリントを先に行い、原稿画像のプリントを後に行う。１面目の広告のプリントはカラープリントであり、２面目の原稿のプリントはモノクロプリントである。
【００２４】
両面プリントにおける１枚の用紙の搬送手順は図３のとおりである。用紙は、用紙ストッカからプリンタ本体へ給紙されると、印字位置（２次転写位置）へ導かれ、１面目のプリントを受ける。片面のプリントが終わった用紙は両面プリントを可能にする循環搬送経路９０の一部であるスイッチバック路９１へ導入され、導入と反対の方向に搬送されて両面ユニット２７に入る。両面ユニット２７内で表裏が反転した用紙が再び印字位置へ導かれ、２面目のプリントを受ける。そして、両面のプリントが終わった用紙がスイッチバック路９１を素通りして排紙される。
【００２５】
無料コピーに係る複属性両面プリント動作および有料コピーに係る単属性片面プリント動作における用紙搬送とプリントの手順は図４（Ａ）および（Ｂ）に模式的に示される。
【００２６】
図４（Ａ）のように複属性両面プリントモードでは、用紙Ｐへの１面目のプリントとして第２属性の広告画像Ｇ２のプリントが行われる。用紙Ｐの表裏が反転され、２面目のプリントとして第１属性の原稿画像Ｇ１のプリントが行われる。そして、原稿画像Ｇ１が下向きで広告画像Ｇ２が上向きとなるフェースダウン形式で用紙Ｐが排出される。
【００２７】
広告画像Ｇ２が上向きで排出されるので、排出された用紙Ｐを取ろうとするユーザーに広告画像Ｇ２が認識され易い。すなわち、広告画像Ｇ２がユーザーの興味を引く確率が大きい。仮に広告画像Ｇ２が下向きであると、ユーザーが広告画像Ｇ２を見ないかも知れない。フェースダウン形式の排出は宣伝効果に貢献する。
【００２８】
一方、図４（Ｂ）のように単属性片面プリントモードでは、第１属性の原稿画像Ｇ１のプリントが行われ、直ちに原稿画像Ｇ１が上向きになるフェースアップ形式で用紙Ｐが排出される。
【００２９】
原稿画像Ｇ１が上向きに排出されるので、排出された用紙Ｐを取ろうとするユーザーがコピーの終了および成否を素早く認識することができる。仮に原稿画像Ｇ１が下向きであると、ユーザーがコピー結果を確認するには用紙Ｐを裏返さなければならない。フェースアップ形式の排出はユーザーの利便性に優れる。
【００３０】
図５は画像形成装置１０の制御系の構成を示すブロック図である。
【００３１】
複合機１１および課金装置１２は、中継コネクタ１７および入出力インターフエース６０ａ，６０ｂを介して相互に通信する。複合機１１の通信制御は複合機１１に設けられた制御部６１が司り、課金装置１２の通信制御は課金装置１２に設けられた制御部７１が司る。
【００３２】
複合機１１の制御部６１には、イメージスキャナ２１、カラープリンタ２３、排出部２６、および両面ユニット２７に備わる動作機構やセンサがインタフェースを介して接続されている。また、イメージスキャナ２１からの読取り信号を処理する信号処理部２２および上述の操作パネル１８も制御部６１に接続されている。さらに、制御部６１には、複数の広告画像を予め記憶する不揮発性メモリを含む広告画像用メモリ部６３、広告をプリントした枚数や広告主に対する課金を累積して記憶する課金用メモリ６４、画像データの一時記憶や画像合成時に使用される作業用のメモリ６５、現在時刻を測定するタイマ６６、広告をプリントした枚数などを積算するカウンタ６７、広告画像および／または原稿画像をプリントする生産性を判別する判別部６８が接続されている。
【００３３】
操作パネル１８には、有料／無料コピーを設定する広告機能選択キー８２、原稿画像をプリントするカラーモード(モノクロコピー／カラーコピー)を設定するカラーモードキー８３、コピーの濃度や下地レベルを設定する画質設定キー８４、および他の各種のキー８５が配置される。画質設定キー８４は、有料コピーの場合のみおいて機能し、無料コピーの場合は予備走査（プレスキャン）により自動的に設定される。他のキーには、コピー部数を設定する置数キー、各種の付加価値コピーモード（両面コピー、拡大／縮小コピーなど)を選択また設定するキー、およびスタートキーが含まれる。なお、これらのキーの一部は表示部８８のタッチパネルの画面内に適時に表示されるボタンである。
【００３４】
また、操作パネル１８における表示部８８は、コピー枚数や用紙サイズなどの設定状態、有料／無料コピーの設定状態、その他の情報を表示する。その他の情報には操作の案内やコピー動作状況をユーザーに伝えるメッセージが含まれる。
【００３５】
一方、課金装置１２の制御部７１には、上述した表示部１５、コピー内容と料金の対応を示すテーブルデータを記憶する課金テーブルメモリ７２、コピー枚数やユーザーに対する課金金額を累積して記憶する課金用メモリ７３などが接続されている。
【００３６】
本実施形態の画像形成装置１０の動作の概要は図６のアクティビティ図で示される。
【００３７】
図６において、最初にユーザーが複合機１１の操作パネル１８により無料コピーか有料コピーかを選択する（＃０１）。このとき、図７（Ａ）のように、複合機１１の表示部８８は選択ボタン８２Ａ，８２Ｂおよびユーザーに選択を求めるメッセージ１０１を表示する。メッセージ１０１は、無料コピーでは広告がプリントされることを伝える文を含む。
【００３８】
無料コピーの場合は、１面目に広告画像をプリントし、２面目にユーザーの原稿画像をプリントする。広告画像はカラー画像でもモノクロ画像でもよく、カラー画像であればカラープリントされ、モノクロ画像であればモノクロプリントされる。しかし、無料コピーでは原稿画像をプリントする２面目のプリントはモノクロプリントに限られる。すなわち、ユーザーがカラー原稿をセットしてもカラー原稿はモノクロでプリントされる。
【００３９】
無料コピーの場合は料金の投入の必要はない。ユーザーがスタートキーを押下すると、複合機１１はコピー動作を開始し、広告画像を広告画像用メモリ６３から取り込む（＃０２、＃０３）。カラープリンタ２３による1面目の広告画像のプリントと並行して、イメージスキャナ２１は原稿の読取りを行う。
【００４０】
並行処理が行われて間、図７（Ｂ）のように表示部８８は「広告プリント中です。」というメッセージ１０９を表示する。この表示は、無料コピーに不慣れなユーザーに動作状況を知らせて安心してもらうために行われる。モノクロで片面の有料コピーと比べて無料コピーの所要時間は長いが、状況を表示することによって、長い待ち時間にユーザーが戸惑うことが少なくなる。
【００４１】
カラープリンタ２３に用紙ストッカ２５の所定カセットから用紙が給紙され、広告画像がプリントされ、用紙の表裏が反転される間に（＃８、＃９、＃１０）、イメージスキャナ２１は原稿に対するプレスキャンを行う（＃０４）。プレスキャンで得られた原稿の画像情報を基にづいて、複合機１１の制御部６１が画質調整パラメータの値を決定する（＃０５）。画質調整パラメータは、プリントの濃度、およびコントラストに関わる下地レベルを含む。パラメータ決定の後、イメージスキャナ２１は原稿に対するスキャンを行い（＃０６）、所定解像度の原稿画像データを作像用のバッファメモリに出力する。
【００４２】
広告画像のプリントと原稿の読取りの並行処理が終わると、複合機１１は原稿画像のプリント動作を始める。図７（Ｃ）のように表示部８８は「原稿プリント中です。」というメッセージ１０７を表示する（＃１１）。複合機１１は、両面ユニット２７から表裏反転された用紙を印字位置へ搬送し（＃１２）、原稿画像をプリントし（＃１３）、両面にプリントされた用紙をフェースダウントレイ５３に排出する。
【００４３】
このような無料コピーの動作には、原稿画像のプリントにおける画質調整がプレスキャンの結果に基づいて自動的に行われるという特徴がある。ユーザーは無料コピーにおいて画質を指定することができない。画質調整を自動調整に限定することによって、ユーザーが１枚の原稿に対して画質の異なる多数のコピーをとり、出来栄えの気に入った用紙以外のミスコピー用紙をその場で捨ててしまうおそれがなくなる。
【００４４】
有料コピーの場合には、図８（Ｂ）のように表示部８８はユーザーに料金の投入を求めるメッセージ１０３を表示する。ユーザーが料金を納入すると（＃１５）、複合機１１は、画質調整を含むコピー内容の指定操作を受け付ける（＃１６）。このとき、図８（Ｂ）のように表示部８８は濃度選択ボタン８４Ａ，８４Ｂおよび現在の設定状態を示すメッセージ１０５を表示する。ユーザーはスタートキーを押すと（＃１７）、原稿のスキャン（＃１８）、原稿画像のプリント（＃１９）、課金（＃２０）が行われ、原稿画像のプリントされた用紙がフェースアップトレイ５４に排出される。
【００４５】
以上の実施形態において、画像形成装置１０の構成は例示に限定されず、本発明に沿う範囲内で適宜変更が可能である。例えば、第２の画像データ出力手段として、メモリ部６３に代えてまたはそれとともに、外部の画像サーバから広告画像データを取得する通信手段を備えてもよい。画像形成装置１０を、図示しないネットワークを介して、複数の店舗に設置された画像形成装置を一箇所で統括的に管理する管理施設内の端末に接続してもよい。そして、この管理施設において、各画像形成装置の稼動状況を把握したり、複合機に記憶されている広告画像を遠隔操作により定期的に入れ替えたりすることができる。
【００４６】
カラープリンタ２３はタンデム式に限らず、ロータリー式やその他の形式であってもよい。電子写真プロセス以外のインクジェットなどの方法でカラープリントおよびモノクロプリントを行うものでもよい。
【００４７】
無料コピーでの誰かの悪戯によるサービス提供者の不利益を低減するため、イメージスキャナ２１の原稿ガラスを覆う原稿カバーの１回の開閉に対して設定可能なコピー枚数を所定数（例えば５枚程度）に制限してもよい。所定数以上のマルチコピーが必要なユーザーは、所定数のプリント後に、いったん原稿カバーを開け、原稿をそのままにして原稿カバーを閉じ、再びスタートキーを押せばよい。コピー枚数を制限することによって、指定可能な最大の置き数（例えば９９９枚）を指定した後にスタートキーを押してそのまま立ち去るという不正行為を防ぐことができる。
【図面の簡単な説明】
【００４８】
【図１】画像形成装置の構成を示す図である。
【図２】複合機の構成を示す図である。
【図３】両面プリントにおける用紙搬送経路の一例を示す図である。
【図４】複属性両面プリントおよび単属性片面プリントにおける用紙搬送とプリントの手順を示す図である。
【図５】画像形成装置の制御系の構成を示す図である。
【図６】画像形成装置の動作の概要を示すアクティビティ図である。
【図７】無料コピーにおける操作パネルによる表示の一例を示す図である。
【図８】有料コピーにおける操作パネルによる表示の一例を示す図である。
【符号の説明】
【００４９】
１０    画像形成装置
９０    循環搬送経路
１２    課金装置（課金手段）
２１    イメージスキャナ（第１の画像データ出力手段）
Ｇ１    原稿画像（第１属性の画像）
Ｐ    用紙
６３    広告画像用メモリ部（第２の画像データ出力手段）
１８    操作パネル（操作入力手段）
６１    制御部（モード設定手段）
８４    画質設定キー（プリント画質調整部）
５４    フェースアップトレイ（第１の排出部）
５３    フェースダウントレイ（第２の排出部）
１０７、１０９    メッセージ
８８    表示部（表示手段）
【図１】
2008233444.tif 000003
【図２】
2008233444.tif 000004
【図３】
2008233444.tif 000005
【図４】
2008233444.tif 000006
【図５】
2008233444.tif 000007
【図６】
2008233444.tif 000008
【図７】
2008233444.tif 000009
【図８】
2008233444.tif 000010